(57)【要約】【課題】吊設物の荷重作用点が重心から偏心した位置とされる場合でも、前記吊設物を傾かせることがなく鉛直に保持できるようにするとともに、円滑な走行を可能とした上ランナー装置を提供する。【解決手段】上ランナー装置３は、水平方向軸回りに回転自在とされ、上レール２に設けられた走行軌条Ｒ上を走行可能とされる主ローラ１３と、鉛直方向軸回りに回転自在とされ、前記上レール２に設けられたスリット状の水平ガイド溝Ｕ内を走行可能とされる水平ガイドローラ１４と、水平方向軸回りに回転自在とされ、前記主ローラ１３の配設位置を境として荷重作用点Ｏ側とは反対側に設けられるとともに、前記上レール２に設けられた上面側水平面Ｓを転動する傾動抑止ローラ１５とを備える。【選択図】図４
2014234614.tif 000002
【特許請求の範囲】
【請求項１】
上レールに沿って走行可能とされるとともに、吊設物の荷重作用点が重心から偏心した位置とされる上ランナー装置であって、
前記上ランナー装置は、水平方向軸回りに回転自在とされ、前記上レールに設けられた走行軌条上を走行可能とされる主ローラと、鉛直方向軸回りに回転自在とされ、前記上レールに設けられたスリット状の水平ガイド溝内を走行可能とされる水平ガイドローラと、水平方向軸回りに回転自在とされ、前記主ローラの配設位置を境として荷重作用点側とは反対側に設けられるとともに、前記上レールに設けられた上面側水平面を転動する傾動抑止ローラとを備えることを特徴とする上ランナー装置。
【請求項２】
前記主ローラ、水平ガイドローラ及び傾動抑止ローラは、それぞれ複数個づつ配設されている請求項１記載の上ランナー装置。
【発明の詳細な説明】
【技術分野】
【０００１】
本発明は、アコーデオン扉、折戸、折り畳み式間仕切り壁、収納家具前面のカーテン扉などを吊持した状態で、上レールを走行可能とした上ランナ装置に関する。
【背景技術】
【０００２】
アコーデオン扉、折戸、折り畳み式間仕切り壁、収納家具前面のカーテン扉などにおいては、上レールを配置し、この上レール内を走行可能とした上ランナー装置を配設し、この上ランナー装置によって前記アコーデオン扉、アコーデオンドア、折戸、折り畳み式間仕切り壁、カーテン扉などを吊設するようにしている。
【０００３】
例えば、下記特許文献１には、布地や不織布，紙，合成樹脂の薄手なシート材のうちのいずれかを樹脂コーティングしてなるとともに、蛇腹状に折り畳まれたカーテンの折り片の上端中央に複数のランナを固着し、該ランナをドア枠の上部に横架されるカーテンレールに装着して前記カーテンを伸縮自在に吊持したアコーディオンドアが開示されている。
【０００４】
また、下記特許文献２には、取付け開口部の上縁に上レールを設け、折り畳み扉の両側縁部上端に設けられるランナーを前記上レールに各々スライド自在に係合して、該折り畳み扉を下レールを設けることなく吊設し、同折り畳み扉が前方へ折曲突出されて取付け開口部内の側方に折り畳まれた際に、その両側縁部が当接する戸当り部を該折り畳み扉の後方に設けてなる折り畳み扉の支持装置が開示されている。
【先行技術文献】
【特許文献】
【０００５】
【特許文献１】特開２０１０−７７７０９号公報
【特許文献２】実開昭６０−９０３８３号公報
【発明の概要】
【発明が解決しようとする課題】
【０００６】
前記特許文献１記載の発明のように、蛇腹状に折り畳まれたカーテン（扉）の折り片の中央にランナーが取り付けられる場合は、カーテンの自重作用点はランナーの中央に位置するため、折り畳まれたカーテンは傾くことなく真っ直ぐ鉛直に支持されるが、この場合はカーテンが折り畳まれた際、ランナーを境に両側にカーテンが突出することになるという問題があった。
【０００７】
そこで、前記特許文献２の第３図及び第４図には（同文献の従来技術）、取付け開口部の上下両縁に上レール、下レールを設け、上ランナー、下ランナーを折り畳み扉の各折り片の端部に偏倚して設けるようにしたものが記載されている。この場合は、折り畳み時に収納空間内に折り畳み扉が突出しないという利点はあるものの、折り畳み扉を支持するランナーの荷重作用点が偏心しており、下レール及び下ランナーが存在しないと折り畳み扉がランナーを支点として傾いてしまうため、折り畳み扉の下端を支持するために、下レール及び下ランナが必須の構成となっていた。
【０００８】
前記特許文献２では、前述した問題点に鑑み、折り畳み扉が折り畳まれて開口部の側部に寄せられた際、折り畳み扉が傾かないように、折り畳み扉の両側縁部が当接する戸当り部を該折り畳み扉の後方に設けるようにし、下レールを不要としたものである。
【０００９】
しかしながら、上記特許文献２の場合は、収納空間内に戸当り部を設置するため、その分収納空間が狭められるという問題があった。
【００１０】
そこで本発明の主たる課題は、吊設物の荷重作用点が重心から偏心した位置とされる場合でも、前記吊設物を傾かせることがなく鉛直に保持できるようにするとともに、円滑な走行を可能とした上ランナー装置を提供することにある。
【課題を解決するための手段】
【００１１】
前記課題を解決するために請求項１に係る本発明として、上レールに沿って走行可能とされるとともに、吊設物の荷重作用点が重心から偏心した位置とされる上ランナー装置であって、
前記上ランナー装置は、水平方向軸回りに回転自在とされ、前記上レールに設けられた走行軌条上を走行可能とされる主ローラと、鉛直方向軸回りに回転自在とされ、前記上レールに設けられたスリット状の水平ガイド溝内を走行可能とされる水平ガイドローラと、水平方向軸回りに回転自在とされ、前記主ローラの配設位置を境として荷重作用点側とは反対側に設けられるとともに、前記上レールに設けられた上面側水平面を転動する傾動抑止ローラとを備えることを特徴とする上ランナー装置が提供される。
【００１２】
上記請求項１記載の発明は、ランナーとしての機能を持つために通常備えられる主ローラ以外に、前記水平ガイドローラと前記傾動抑止ローラとを備えるものである。前記水平ガイドローラは、鉛直方向軸回りに回転自在とされ、前記上レールに設けられたスリット状の水平ガイド溝内を走行可能とされるものであり、上レール幅方向の走行ブレを無くすための走行制御を担う。また、該水平ガイドローラによって前記主ローラの脱輪も防止される。前記傾動抑止ローラは、水平方向軸回りに回転自在とされ、前記主ローラ位置を境として荷重作用点とは反対側に設けられるとともに、前記上レールに設けられた上面側水平面を転動するものであり、吊設物の荷重作用点が偏心していることによって上ランナーが傾いて吊設物が傾動するのを防止する。
【００１３】
また、前記傾動防止ローラを配設することによって、荷重作用点に作用する荷重とアーム長との積によって発生するモーメントが、前記傾動防止ローラの接触点に発生する反力とアーム長との積によって発生するモーメントによって相殺されるため、前記水平ガイドローラに余計な荷重負担を負わせることがなく、上ランナー装置は円滑な移動が可能となる。
【００１４】
請求項２に係る本発明として、前記主ローラ、水平ガイドローラ及び傾動抑止ローラは、それぞれ複数個づつ配設されている請求項１記載の上ランナー装置が提供される。
【００１５】
上記請求項２記載の発明は、前記主ローラ、水平ガイドローラ及び傾動抑止ローラは一つずつ設けることも可能であるが、後述する形態例に示すように、複数個、例えば２個ずつ設けるようにしてもよい。
【発明の効果】
【００１６】
以上詳説のとおり本発明によれば、吊設物の荷重作用点が重心から偏心した位置とされる場合でも、前記吊設物を傾かせることがなく鉛直に保持できるようになるとともに、円滑な走行が可能となる。
【図面の簡単な説明】
【００１７】
【図１】本発明の上ランナー装置３を用いたアコーデオン扉（閉状態）の要部正面図である。
【図２】本発明の上ランナー装置３を用いたアコーデオン扉（閉状態）の要部平面図（図１のII−II線矢視図）である。
【図３】本発明の上ランナー装置３を用いたアコーデオン扉（開状態）の要部平面図（図１のII−II線矢視図）である。
【図４】上レール２と上ランナー装置３との納まりを示す横断面図（閉状態）である。
【図５】上レール２と上ランナー装置３との納まりを示す横断面図（開状態）である。
【図６】上ランナ装置３の上レール２への装着要領を示す斜視図である。
【図７】上ランナ装置３への翼板取付け要領を示す斜視図である。
【図８】上ランナ装置３を示す、(A)は平面図、(B)は背面図、(C)は右側面図である。
【発明を実施するための形態】
【００１８】
以下、本発明の実施の形態について図面を参照しながら詳述する。
【００１９】
図１に示されるアコーデオン扉１は、上レール２と、この上レール２に沿って走行自在とされる上ランナー装置３、３…と、この上ランナー装置３によって吊設される折り畳み扉４とからなる。そして、図１、図２に示されるように、前記上ランナー装置３、３が最大間隔となる状態とした時は、前記折り畳み扉４が展開されるようになっており、図３に示されるように、前記上ランナー装置３，３が最小間隔となる状態とした時は、前記折り畳み扉４が蛇腹状に折り畳まれるようになっている。本アコーデオン扉は、例えば収納家具の前面を覆う扉や間仕切り壁などとして使用可能なものである。
【００２０】
以下、図面に基づいて更に詳述する。
【００２１】
前記上レール２は、図４に示されるように、断面略矩形状を成す部材であり、アルミ合金又は鋼材より構成されている。具体的には、上壁面２ａと、この上壁面２ａの一方端から垂下する一方側側壁面２ｂと、前記上壁面２ａの他方端から垂下する他方側側壁面２ｃと、前記一方側側壁面２ｂの下端から水平方向に延びる一方側下壁面２ｄと、その先端から上方に延びる走行軌条２ｅと、この走行軌条２ｅの上部位置であって前記上壁面２ａの下面から垂下する垂下片２ｆと、前記他方側側壁面２ｃの下端から水平方向に延びる他方側下壁面２ｇとからなる。
【００２２】
後述するように、前記走行軌条２ｅがランナー装置３の主ローラ１３が走行するレールＲとなり、前記一方側下壁面２ｄと他方側下壁面２ｇとの間に形成されたスリット状の溝が水平ガイドローラ１４が走行する水平ガイド溝Ｕとなる。更に、前記他方側下壁面２ｇの下面が傾動抑止ローラ１５が転動する上面側水平面Ｓとなる。
【００２３】
上ランナー装置３は、詳細には図７及び図８に示されるように、平面視で略Ｕ字状のランナ基体１１と、その上面に設けられた起立壁１２とからなるランナー本体１０に対して、水平方向軸回りに回転自在とされ、上レールに設けられた走行軌条２ｅ(Ｒ)上を走行可能とされる主ローラ１３，１３と、鉛直方向軸回りに回転自在とされ、前記上レール２に設けられたスリット状の水平ガイド溝内Ｕを走行可能とされる水平ガイドローラ１４，１４と、水平方向軸回りに回転自在とされ、前記主ローラ１３の配設位置を境として荷重作用点Ｏ側とは反対側に設けられるとともに、前記上レール２に設けられた上面側水平面Ｓを転動する傾動抑止ローラ１５，１５とを備えるものである。前記主ローラ１３、水平ガイドローラ１４，傾動抑止ローラ１５は、それぞれ一つずつ設けるようにしても良いが、走行安定性を図るために複数個づつ設けるようにするのが望ましい。図示例では夫々、２つずつ配設している。
【００２４】
更に、詳しく詳述すると、前記ランナー基体１１は、水平方向に２本のアーム片１１Ａ、１１Ｂを有するように平面視で略Ｕ字状に形成されている。前記アーム片１１Ａ、１１Ｂの先端には夫々、鉛直配向で上面側に起立する支軸１６が設けられており、前記支軸１６、１６に対して、鉛直軸回りに回転自在とされる翼板１７Ａ（１７Ｂ）が設けられている。この翼板１７Ａ、１７Ｂは、端部に前記支軸１６が挿入される軸受孔１７ａを備えると共に、折り畳み扉４を固定するための２つのビス孔１７ｂ、１７ｂを備えている。
【００２５】
前記起立壁１２は正面視で略Ｔ字状を成し、走行方向に離間を空けて、水平方向軸回りに回転自在とされ、上レール２に設けられた走行軌条２ｅ(Ｒ)上を走行可能とされる主ローラ１３，１３が支持されている。また、前記ランナー基体１１の上面に、走行方向に間隔を空けて、鉛直方向軸回りに回転自在とされ、前記上レール２に設けられたスリット状の水平ガイド溝内Ｕを走行可能とされる水平ガイドローラ１４，１４が配設されている。更に、前記ランナー基体１１の背面側（前記アーム片１１Ａ、１１Ｂとは反対側）の側面に、走行方向に間隔を空けて、水平方向軸回りに回転自在とされ、前記主ローラ１３の配設位置を境として荷重作用点Ｏ側とは反対側に設けられるとともに、前記上レール２に設けられた上面側水平面Ｓを転動する傾動抑止ローラ１５，１５が配設されている。
【００２６】
そして、前記上ランナー装置３は、図６に示されるように、上レール２の端部開口から挿入され、図４及び図５に示されるように、前記主ローラ１３が走行軌条Ｒ上に、前記水平ガイドローラ１４が水平ガイド溝Ｕ内に、前記傾動抑止ローラ１５が上面側水平面Ｓ（上レール２の下面）に接触するように設置される。
【００２７】
一方、前記折り畳み扉４は、図２に示されるように、前記上ランナー装置３の翼板１７Ａ、１７Ｂに対して夫々、扉片４Ａ、４Ｂがビス止めされるとともに、隣接する上ランナー装置３，３間において、扉片４Ａと扉片４Ｂとが蝶番１８により連結されている。
【００２８】
設置状態では、図４及び図５に示されるように、折り畳み扉４を閉状態とした場合及び折り畳み扉４を開状態とした場合のいずれにおいても、吊設物（折り畳み扉４）の荷重作用点Ｏは重心から偏心しているが、前記傾動防止ローラ１５が上面側水平面Ｓ（上レール２の下面）に接触するように配設されることによって、上ランナー装置３が傾くのを防止するため、吊設物（折り畳み扉４）は傾動することなく鉛直に保持されるようになる。
【００２９】
また、荷重作用点Ｏに作用する荷重Ｐ１とアーム長Ｌ１との積によって発生するモーメントが、前記傾動防止ローラ１５の接触点に発生する反力Ｐ２とアーム長Ｌ２との積によって発生するモーメントによって相殺されるため（ΣＰｉ・Ｌｉ=０）、前記水平ガイドローラ１４に余計な荷重負担を負わせることがなくなるため、上ランナー装置３は円滑な移動が可能となる。
【００３０】
更に、前記傾動抑止ローラ１５を水平方向軸回りに回転自在とし、上面側水平面Ｓ（上レール２の下面）を転動するようにした利点は、前述したように、水平ガイドローラ１４が折り畳み扉４によって発生するモーメントを相殺する部材となっていないため、上ランナー装置３の走行が円滑になる点の他、アーム長Ｌ２を長く確保しやすいため傾動防止ローラ１５の接触圧が小さくできるなどの利点を有する。
【００３１】
〔他の形態例〕
(1)上記形態例では、吊設物として折り畳み扉４の例を示したが、アコーデオンカーテンのような織物であってもよい。
(2)上記形態例では、前記傾動防止ローラ１５を上レール２の外部に位置するようにしたが、上レール２の内部に位置するように上レール２の断面形状を決定してもよい。また、本形態例では、前記上面側水平面Ｓの形成部分は上レール２の下面を利用したが、逆凹状に形成したレール溝を走行させるようにしてもよい。この場合は、該レール溝の底面（上面）が前記上面側水平面Ｓに相当する。
【符号の説明】
【００３２】
１…アコーデオン扉、２…上レール、３…上ランナー装置、４…折り畳み扉、１３…主ローラ、１４…水平ガイドローラ、１５…傾動防止ローラ、２ｅ(Ｒ)…走行軌条、Ｕ…水平ガイド溝、Ｓ…上面側水平面
【図１】
2014234614.tif 000003
【図２】
2014234614.tif 000004
【図３】
2014234614.tif 000005
【図４】
2014234614.tif 000006
【図５】
2014234614.tif 000007
【図６】
2014234614.tif 000008
【図７】
2014234614.tif 000009
【図８】
2014234614.tif 000010